(57)【要約】      （修正有）【課題】携帯電話の充電中であっても、充電器のコードが邪魔になることなく、携帯電話を載置しておくことができる載置台を提供する。【解決手段】載置台は、平面状の表面を有する載置部１１０と、載置部１１０の下方に位置し、平面状の底面を有する支持部１２０と、上下方向に延び、載置部１１０と支持部１２０とを接続する接続部と、からなる。携帯電話１５０を充電する際には、携帯電話１５０は載置部１１０の表面上に載置され、充電器のコード１６４は接続部の周囲に巻き付けられる。【選択図】図２
0003179403.tif 000002
【実用新案登録請求の範囲】
【請求項１】
本体と、当該本体に接続されたコードと、からなる対象物を載置する載置台であって、
平面状の表面を有する載置部と、
前記載置部の下方に位置し、平面状の底面を有する支持部と、
上下方向に延び、前記載置部と前記支持部とを接続する接続部と、
からなり、
前記載置部の前記表面上には前記対象物の前記本体を載置することが可能であり、
前記接続部は前記対象物の前記コードを巻き付けておくことが可能な形状であることを特徴とする載置台。
【請求項２】
前記載置部の前記表面は前記接続部の中心線に対して傾斜していることを特徴とする請求項１に記載の載置台。
【請求項３】
前記載置部の前記表面には、前記対象物が滑り落ちることを防止する滑り止め防止層が形成されていることを特徴とする請求項１または２に記載の載置台。
【考案の詳細な説明】
【技術分野】
【０００１】
本考案は、本体と、当該本体に着脱自在に接続されたコードと、からなる対象物を載置することが可能な載置台に関する。
【背景技術】
【０００２】
携帯電話を非使用時に収納する携帯電話用スタンドとして、登録実用新案第３０５６３６２号公報に記載されたものがある。
【０００３】
図７は同公報に記載された携帯電話用スタンドの斜視図である。
【０００４】
この携帯電話用スタンドは、携帯電話Ｐを支持する支持枠体１と、支持枠体１内に収納された携帯電話Ｐが受信したときに発光する受信表示器２と、からなる。
【０００５】
受信表示器２は、支持枠体１内に収納された携帯電話ＰのアンテナＰ１の近傍に配置された支持材３と、支持材３に装着された表示具４と、からなる。
【考案の開示】
【考案が解決しようとする課題】
【０００６】
一般に、携帯電話に内蔵されている電池を充電する際には、携帯電話専用の充電器が用いられる。
【０００７】
充電器は、携帯電話に接続される充電用コネクタと、コンセントに差し込まれるアダプターと、充電用コネクタとアダプターとを結合するコードと、からなる。
【０００８】
図７に示した携帯電話用スタンドに携帯電話Ｐを収納しているときに、充電器を用いて携帯電話Ｐの内蔵電池を充電しようとすると、携帯電話用スタンドの内部にはコードを収納するスペースがないため、コードはそのまま放置せざるを得ない。
【０００９】
しかしながら、コードを放置しておくと、携帯電話所有者の手、あるいは、携帯電話所有者が手に持っている物などにコードが引っ掛かり、手に持っている物を落として破損させたり、あるいは、コード自体を破損させたりする原因になる。
【００１０】
本考案はこのような従来のスタンドにおける問題点に鑑みてなされたものであり、充電中の携帯電話のように、本体と、当該本体に着脱自在に接続されたコードと、からなる対象物を、コードが邪魔になることなく、載置することが可能な載置台を提供することを目的とする。
【課題を解決するための手段】
【００１１】
上記の目的を達成するため、本考案は、本体と、当該本体に接続されたコードと、からなる対象物を載置する載置台であって、平面状の表面を有する載置部と、前記載置部の下方に位置し、平面状の底面を有する支持部と、上下方向に延び、前記載置部と前記支持部とを接続する接続部と、からなり、前記載置部の前記表面上には前記対象物の前記本体を載置することが可能であり、前記接続部は前記対象物の前記コードを巻き付けておくことが可能な形状であることを特徴とする載置台を提供する。
【００１２】
本考案の一実施形態においては、前記載置部の前記表面は前記接続部の中心線に対して傾斜している。
【００１３】
本考案の一実施形態においては、前記載置部の前記表面には、前記対象物が滑り落ちることを防止する滑り止め防止層が形成される。
【考案の効果】
【００１４】
例えば、充電中の携帯電話を本考案に係る載置台の載置部上に載置する場合、携帯電話の充電中に充電器のコードを接続部の周囲に巻き付けておくことが可能である。このため、コードの必要な長さの部分のみがコンセントまで延び、不必要にコードを長いまま放置しておくことを回避することができ、ひいては、コードの破損を防止することが可能である。
【図面の簡単な説明】
【００１５】
【図１】本考案の第一の実施形態に係る載置台の斜視図である。
【図２】充電中の携帯電話を載置部の表面上に載置した場合の本考案の第一の実施形態に係る載置台の斜視図である。
【図３】本考案の第二の実施形態に係る載置台の側面図である。
【図４】本考案の第二の実施形態に係る載置台の第一変形例の側面図である。
【図５】本考案の第二の実施形態に係る載置台の第二変形例の側面図である。
【図６】本考案の第三の実施形態に係る載置台の側面図である。
【図７】従来の携帯電話用スタンドの斜視図である。
【考案を実施するための最良の形態】
【００１６】
（第一の実施形態）
図１は本考案の第一の実施形態に係る載置台１００の斜視図である。
【００１７】
本実施形態に係る載置台１００は、平面状の表面１１１を有する載置部１１０と、載置部１１０の下方に位置し、平面状の底面１２１を有する支持部１２０と、上下方向に延び、載置部１１０と支持部１２０とを接続する接続部１３０と、から構成されている。
【００１８】
載置部１１０は円形の平板形状をなしており、後述するように、表面１１１の上に、例えば、携帯電話が載置される。
【００１９】
支持部１２０は円形の平板形状をなしており、載置部１１０と同一のサイズを有している。
【００２０】
載置台１００は、支持部１２０の平面状の底面１２１を介して、例えば、机やテーブルの上などに置かれる。
【００２１】
接続部１３０は円柱形状をなしており、載置部１１０と支持部１２０の各中心を通過する中心軸線を有している。
【００２２】
本実施形態に係る載置台１００は、載置部１１０、支持部１２０及び接続部１３０を一体成形することにより製作してもよく、あるいは、載置部１１０、支持部１２０及び接続部１３０を各々別個の部品として製作し、各部品を結合することにより、製作することも可能である。
【００２３】
載置部１１０の表面１１１上には、本体と、当該本体に着脱自在に接続されたコードと、からなる対象物のうち、本体が載置される。
【００２４】
図２は、一例として、充電中の携帯電話１５０を載置部１１０の表面１１１上に載置した場合の載置台１００の斜視図である。
【００２５】
携帯電話１５０の充電は充電器を用いて行われる。充電器１６０は、携帯電話１５０に接続される充電用コネクタ１６１と、コンセント１６２に差し込まれるアダプター１６３と、充電用コネクタ１６１とアダプター１６３とを結合するコード１６４と、からなる。
【００２６】
図２に示すように、充電器１６０を用いて携帯電話１５０を充電する際には、携帯電話１５０は載置部１１０の表面１１１上に載置され、充電器１６０のコード１６４は接続部１３０の周囲に巻き付けられた状態にある。
【００２７】
このように、本実施形態に係る載置台１００によれば、携帯電話１５０の充電中にコード１６４を接続部１３０の周囲に巻き付けておくことができるので、コード１６４の必要な長さの部分のみがアダプター１６３まで延び、不必要にコード１６４を長いまま放置しておくことを回避することができ、ひいては、コード１６４の破損を防止することが可能である。
【００２８】
本実施形態に係る載置台１００は上記の構造に限定されるものではなく、種々の改変が可能である。
【００２９】
本実施形態に係る載置台１００に載置する対象物は携帯電話１５０には限定されない。
【００３０】
対象物が、本体と、当該本体に接続されたコードと、からなるものであれば、どのような対象物をも載置台１００上に載置することが可能である。
【００３１】
本実施形態に係る載置台１００においは、載置部１１０及び支持部１２０は円形の平板形状をなすものとして構成されているが、載置部１１０及び支持部１２０の形状は円形には限定されない。多角形、楕円形その他任意の形状とすることが可能である。
【００３２】
また、載置部１１０と支持部１２０のサイズを同一にすることは必ずしも必要ではなく、例えば、支持部１２０のサイズを載置部１１０のサイズより大きくすることも可能である。
【００３３】
また、本実施形態に係る載置台１００においては、接続部１３０は円柱形状のものとして構成されているが、接続部１３０の形状は円柱形状には限定されない。コード１６４をその周囲に巻き付けることができる形状であれば、任意の形状を取り得る。
【００３４】
（第二の実施形態）
図３は本考案の第二の実施形態に係る載置台２００の側面図である。
【００３５】
本実施形態に係る載置台２００においては、載置部１１０の表面１１１は接続部１３０の中心軸線に対して傾斜している。
【００３６】
具体的には、本実施形態における載置部１１０は、接続部１３０の中心軸線に対して傾斜している表面１１１と、水平な底面１１２とを備えている。
【００３７】
このように、載置部１１０の表面１１１を傾斜させることにより、載置部１１０の表面１１１上に載置された対象物（例えば、携帯電話１５０）を使用者の側に向けることができるので、使用者にとって、対象物を見やすくすることができる。
【００３８】
図４は本実施形態に係る載置台２００の第一変形例の側面図である。
【００３９】
本変形例における載置部１１０は第一の実施形態における載置部１１０と同一の形状をなしているが、接続部１３０の中心軸線に対して傾斜して配置されている。本変形例に係る載置台によっても、第二の実施形態に係る載置台２００と同様の効果を得ることができる。
【００４０】
図５は本実施形態に係る載置台２００の第二変形例の側面図である。
【００４１】
本変形例における載置部１１０及び接続部１３０は第一の実施形態における載置部１１０及び接続部１３０と同一形状をなしているが、本変形例においては、支持部１２０の表面１２２（底面１２１とは反対側の面）が水平方向に対して傾斜をなしているため、結果的に、載置部１１０の表面１１１は接続部１３０の中心軸線に対して傾斜している。本変形例に係る載置台によっても、第二の実施形態に係る載置台２００と同様の効果を得ることができる。
【００４２】
（第三の実施形態）
図６は本考案の第三の実施形態に係る載置台３００の側面図である。
【００４３】
本実施形態に係る載置台３００は、第一の実施形態に係る載置台１００と比較して、滑り止め防止層３１０を追加的に備えている。この点を除いて、本実施形態に係る載置台３００は第一の実施形態に係る載置台１００と同一の構造を有している。
【００４４】
滑り止め防止層３１０は、シリコンやゴムなどの摩擦係数が大きい素材でつくられており、載置部１１０の表面１１１上に形成されている。
【００４５】
携帯電話１５０などの対象物は滑り止め防止層３１０の上に載置される。
【００４６】
滑り止め防止層３１０は摩擦係数が大きいため、携帯電話１５０などの対象物が載置部１１０から滑り落ちにくくする効果を奏する。
【符号の説明】
【００４７】
１００  本考案の第一の実施形態に係る載置台
１１０  載置部
１２０  支持部
１３０  接続部
１５０  携帯電話
１６０  充電器１６０
１６４  コード
２００  本考案の第二の実施形態に係る載置台
３００  本考案の第三の実施形態に係る載置台
３１０  滑り止め防止層
【図１】
0003179403.tif 000003
【図２】
0003179403.tif 000004
【図３】
0003179403.tif 000005
【図４】
0003179403.tif 000006
【図５】
0003179403.tif 000007
【図６】
0003179403.tif 000008
【図７】
0003179403.tif 000009